(57)【要約】      （修正有）【課題】単純な機構からなり、部品点数が少なくコストが低廉で、かつ不具合の発生可能性も小さく、マガジンフォロワー本体が円滑に弾丸を追従させられる玩具銃の給弾機構を提供する。【解決手段】本発明の玩具銃は、ガスの放出により弾丸が内部を移動するバレル２と、バレル２に並べて設置され弾丸が内部に収納される筒状のマガジン６と、マガジン６の玩具銃後端側とバレル２とを連結し内部を弾丸が移動する弾倉連結部３１と、マガジン６と弾倉連結部３１との間のバレル２側に設けられる切欠部３１１と、マガジン６内を摺動するマガジンフォロアーベース６２と、マガジンフォロアーベース６２を玩具銃後端方向に付勢する付勢手段６３と、マガジンフォロアーベース６２の玩具銃後端側に回動自在に取り付けられバレル２側端部が弾倉連結部３１内を摺動する胴体部６１１と、胴体部６１１のバレル２側端部に設けられるマガジンフォロアー６１と、を備える。【選択図】図２
2015021713.tif 000002
【特許請求の範囲】
【請求項１】
ガスの放出により弾丸が内部を移動するバレルと、
バレルに並べて設置され弾丸が内部に収納される筒状のマガジンと、
マガジンの玩具銃後端側とバレルとを連結し内部を弾丸が移動する弾倉連結部と、
マガジンと弾倉連結部との間に設けられる切欠部と、
マガジン内を摺動するマガジンフォロアーベースと、
マガジンフォロアーベースを玩具銃後端方向に付勢する付勢手段と、
マガジンフォロアーベースの玩具銃後端側に回動自在に取り付けられバレル側端部が弾倉連結部内を摺動し切欠部の幅より狭い胴体部と、
胴体部のバレル側端部に設けられるマガジンフォロアーと、
を備える玩具銃。
【請求項２】
切欠部は、バレル側に弾丸より幅狭に設けられ、胴体部は切欠部より幅狭部分を有する、
を備える請求項１記載の玩具銃。
【請求項３】
弾丸を保留し、マガジンに弾丸を補充するホッパ―、
を備える請求項１又は２記載の玩具銃。
【発明の詳細な説明】
【技術分野】
【０００１】
本発明は、玩具銃に係る。詳細には、玩具銃にＢＢ弾等の弾丸を供給する玩具銃の給弾機構に係る。
【背景技術】
【０００２】
エアガンの弾丸発射機構のうち、トリガーを引くと銃身（バレル）がいったん前進した後、急速に後退してバルブに衝突し、バルブが開いてガスが放出され、これによって弾丸が発射する方式（以下「バレルストライカー方式」と称する）は、簡便な発射機構として既に実用化されている（特許文献２  米国特許第７，７６６，０００号、特許文献３  米国特許第７，８５６，９６９号）。
【０００３】
玩具銃であるライフル型エアガンにつき、バレルストライカー方式を採用したときは特に、玩具銃の形状次第では、給弾機構に工夫を加える必要が生じる。
（１）ハンドガン型エアガンの場合は、通常、バレルの上方あるいは下方いずれに弾倉（マガジン）を設けることも可能である。バレルの下方にマガジンを設けるときは、本体のグリップ内に収納するのが一般である。マガジンを収納するのに適切な広さを有すること、実銃も同様である等の理由による。この場合は、着脱式のカートリッジマガジンとすることが多い。ただ、着脱式のマガジンは、屋外で銃を使用する際に紛失するおそれがあり、また、部品点数が多くなるため製造コストも高くなり故障のおそれも増す。
そのため、部品点数を少なくして故障の少ない安価な銃とするために、バレルの上方に、バレルと平行に固定式のマガジンを設けることもある。
【０００４】
（２）一方、ライフル型エアガンの場合、例えば実銃であるＭ２４スナイパーライフルのようにバレルが露出している実銃を模した玩具銃はもとより、例えば実銃であるＭ１４ライフルのようにバレルを覆う部材とバレルとのスペースが比較的小さな銃を模した玩具銃においては、バレルの上方にマガジンを設ける余地は極めて乏しい。その場合は、バレルの下方にマガジンを設けることとなる。
ライフル型エアガンの場合、ハンドガン型エアガンと比べてバレルがかなり長いことに伴い、銃もまたかなり大きい。そのため、発射機構の収まる箇所を除けば、銃内部のスペース、とりわけ、バレルの下方には余裕がある。
【０００５】
そこで、コスト削減および故障発生のリスクを減少させるために部品点数を可能な限り抑え、装弾の手間を省いて利便性を高めるために多数の弾丸を装弾可能とすることで安定的に作動する安価な銃を製作するために、玩具銃本体の下部（バレルの下部でもある）に弾丸の貯蔵部（ホッパー）を設け、さらにバレルに平行に固定式のマガジンをバレルの下部に設けることが考えられる。
このような玩具銃では、
ａ．玩具銃を上下ひっくり返して、ホッパーの開口部を上に向け、
ｂ．ホッパーの開口部から弾丸を流し込み、
ｃ．玩具銃を持って何度か上下に振り、
ｄ．ホッパーからマガジン内に弾丸を落とし込んで、
装弾する。装弾後は、玩具銃を再びひっくり返して元に戻す。
【０００６】
次に、マガジンから、弾丸を保持するためにバレルの最後端に配される部材であるチェンバーへの給弾をいかに円滑に行わせるかが問題となる。マガジンは玩具銃本体の下部に位置するが、チェンバーはマガジンよりも上方かつ後方に位置する。そのため、マガジン内にスプリングによって付勢したマガジンフォロワーを設け、マガジン内の弾丸にマガジンフォロワーを当接させてチェンバーへ向けて押し上げる。弾丸は、バレルに平行に設けられたマガジンから、屈曲させて斜め上方へ向かう管状の弾倉連結部を経て、チェンバーへ向かう。
【０００７】
マガジンフォロワーを単なる棒状の部材として構成すると、マガジンフォロワーは、直線の管状のマガジンの間は移動することができるが、屈曲した管状の弾倉連結部を通過させることはできない。
弾丸は、マガジンフォロワーによる付勢が多少はあるとはいえ、チェンバーへ向かう上り坂を、重力に抗して登ることになる。それでは、弾丸がうまくチェンバーまでたどり着かず、給弾不良を招来することになりかねないという問題点を有した。
【０００８】
また、給弾貯蔵庫から給弾通路を経てチェンバーへ弾丸を送り込むに当たっては、玩具銃のデザイン上、給弾貯蔵庫・給弾通路・チェンバーという経路を直線的に構成しうるとは限らず、経路中に円弧状（曲線状）の箇所をとらざるをえない場合がある。とりわけ、円弧状の箇所（の始点）からチェンバーまでの距離が長いときは、マガジンフォロワーが弾丸を最後の一発まで押し出せるようにするため、フォロワーの形状を工夫する必要がある。
【０００９】
特許文献１（特開２０１３−４４４６０号公報）記載の玩具銃では、「玩具銃Ｇを逆さにして凹所４８を上向きにし、凹所４８内に弾丸Ｂを複数個入れ、装填口３０から弾丸Ｂを貯留路２０に装填する。」（特許文献１［００４０］）とともに、「長手部２１と起立部２２との連接部２３は湾曲形成され」（特許文献１［００２８］）、特許文献１図１０に図示されるように、押出コイルスプリング３２の付勢力によりフォロア３１で弾丸Ｂを供給部４に押し出す（特許文献１［００４２］参照）。
【先行技術文献】
【特許文献】
【００１０】
【特許文献１】特開２０１３−４４４６０号公報
【特許文献２】米国特許第７，７６６，０００号
【特許文献３】米国特許第７，８５６，９６９号
【発明の概要】
【発明が解決しようとする課題】
【００１１】
特許文献１（特開２０１３−４４４６０号公報）記載発明は、フォロワーが押出コイルスプリングに押されながら、弾丸をチェンバーへ送り込む。そして、押出コイルスプリングの内部を索体が通り、この索体を巻取リールで巻き取ってフォロワーの位置を後退させるという複雑な機構からなる。
特許文献１記載発明では、マガジンフォロワーが押出コイルスプリング・貯留路・ベース部材などとセットにされているが、部品点数が多く、複雑な機構からなる。さらに、このような機構では、円弧状の通路内でスプリングが伸縮せず、弾丸に追従できずに給弾不良を惹起させる可能性がある課題を有した。
【００１２】
本発明の目的は、単純な機構からなり、部品点数が少なくコストが低廉で、かつ不具合の発生可能性も小さくし、マガジンフォロワー本体が円滑に弾丸に追従させることで、これら従来例の課題を解決する手段を提供することである。
【課題を解決するための手段】
【００１３】
本発明の玩具銃は、
ガスの放出により弾丸が内部を移動するバレルと、
バレルに並べて設置され弾丸が内部に収納される筒状のマガジンと、
マガジンの玩具銃後端側とバレルとを連結し内部を弾丸が移動する弾倉連結部と、
マガジンと弾倉連結部との間に設けられる切欠部と、
マガジン内を摺動するマガジンフォロアーベースと、
マガジンフォロアーベースを玩具銃後端方向に付勢する付勢手段と、
マガジンフォロアーベースの玩具銃後端側に回動自在に取り付けられバレル側端部が弾倉連結部内を摺動し切欠部の幅より狭い胴体部と、
胴体部のバレル側端部に設けられるマガジンフォロアーと、
を備える。
【００１４】
あるいは、更に、
切欠部は、バレル側に弾丸より幅狭に設けられ、
胴体部は、切欠部より幅狭部分を有する、
を備える。
【００１５】
あるいは、更に、
弾丸を保留し、マガジンに弾丸を補充するホッパ―と、
を備える。
【発明の効果】
【００１６】
本発明によれば、
特許文献１（特開２０１３−４４４６０号公報）記載発明に比べると、本件発明は、マガジンフォロワーが本体とベース部とで構成されるという単純な機構からなる。そのため、部品点数が少ないためコストが低廉であり、かつ不具合の発生可能性も小さくなる。そして、マガジンフォロワー本体が円滑に弾丸に追従するため作動も安定する。
【図面の簡単な説明】
【００１７】
【図１】この発明の実施の形態に係る実施例に係る玩具銃であるバレルストライカー方式のライフル型エアガンの正面断面図である。
【図２】この発明の実施の形態に係る実施例に係る玩具銃であるバレルストライカー方式のライフル型エアガンの機関部の拡大図であり、初期状態をあらわす。
【図３】この発明の実施の形態に係る実施例である図２に係る玩具銃の機関部の拡大側面図である。
【図４】この発明の実施の形態に係る実施例に係る玩具銃の図３の状態からつまみが玩具銃後端側へ移動した状態をあらわす図である。
【図５】この発明の実施の形態に係る実施例に係る玩具銃の機関部を下方から見上げた状態を示す図である。
【図６】この発明の実施の形態に係る実施例に係る玩具銃を上下逆さにして、弾丸を装填している状態を示す図である。
【図７】この発明の実施の形態に係る実施例に係る玩具銃を、図６に図示される逆さにした玩具銃を元通りにした状態の側面断面図である。
【図８】この発明の実施の形態に係る実施例に係る玩具銃のトリガーを引いた瞬間の側面断面図である。
【図９】この発明の実施の形態に係る実施例に係る玩具銃のバレルがヒットピンを叩いた瞬間の側面断面図である。
【図１０】この発明の実施の形態に係る実施例に係る玩具銃の弾丸が発射する直前の側面断面図である。
【図１１】この発明の実施の形態に係る実施例に係る玩具銃において弾倉連結部内の弾丸が少ない状態を示す側面断面図である。
【図１２】この発明の実施の形態に係る実施例に係る玩具銃の部品の斜視図である。
【図１３】この発明の実施の形態に係る実施例に係る玩具銃の部品の斜視図である。
【図１４】この発明の実施の形態に係る実施例に係る玩具銃の部品の斜視図である。
【図１５】この発明の実施の形態に係る実施例に係る玩具銃の部品の斜視図である。
【発明を実施するための形態】
【００１８】
この発明の実施の一形態に係る実施例を、この発明の実施例を図示する図面に基づいて説明する。
【００１９】
図1は、この発明の実施例に係る玩具銃であるバレルストライカー方式のライフル型エアガンの正面断面図、図２は、同機関部の拡大図であり初期状態をあらわす。
【００２０】
この発明に係る玩具銃の実施例が採用するバレルストライカー方式について説明する。
（１）バレルストライカー方式では、バレル２に設けられた可動式の係合部材であるシアー５１をトリガー７が押圧して前進させる。そして、バレル２の前進によってシアー５１とトリガー７との係合が外れると、バレル２がばねであるバレルスプリング２１の力で勢いよく後退して放出バルブ４２を叩き、シリンダー４３から放出される圧縮ガスによって弾丸Ｂを発射させる。
【００２１】
（２）バレルストライカー方式を玩具銃であるハンドガン型エアガンにおいて採用する場合、トリガー７の上部をある程度長くした上、バレル２に小型の箱状のシアーベース５を設け、そのシアーベース５にシアー５１を回動可能に設けることが多い。ハンドガン型エアガンは比較的小型の玩具銃であり、発射機構も小さくて済む。トリガー７の指掛け部とバレル２の前後可動軸（バレル２の中心軸たる前後に延びる直線）までの距離が、せいぜい１、２センチとそれほど長くはない。そのため、従来技術のように、バレル２の前後可動軸上にシアー５１が位置するように、シアー５１を設けることも可能である。
【００２２】
（３）ところが、ライフル型エアガンのような玩具銃は、機関部がハンドガン型エアガンよりも大きいものが多い。このような玩具銃は、トリガー７からバレル２までの長さが総じて長くなるため、バレル２の前後可動軸上にシアー５１を設けると、トリガー７の上部を非常に長くする必要がある。
仮りに、トリガー７の上部を非常に長くすると、慣性モーメントの観点からも、また、テコの原理からも、トリガー７に小さな力を加える、すなわちトリガー７を少し引くだけで、シアー５１に対して大きな力が加わる。すなわち、バレル２の前進する距離が長くなる。
【００２３】
もっとも、安全性の観点から、玩具銃のトリガー７には、引きしろ（遊びの部分）が設けられることが通常である。安全装置が備わっているにせよ、トリガー７を少し引くだけでバレル２が前進して容易に弾丸発射に至るというのでは、安全確保の点で問題がある。そのため、適正なトリガープル（トリガー７がバレル２を押圧する際の力）を確保するため、トリガー軸７４からトリガー７先端部までの長さを短くする必要が生じる。
【００２４】
こうして、上記のような玩具銃において、発射機構としてバレルストライカー方式を採用する場合、トリガープルを最適にするために工夫が必要となる。トリガープルは、トリガー７やシアー５１の形状や、トリガー７がシアー５１を押圧しうる距離（トリガーストローク）、それに、バレル２が前進・後退する距離（バレルストローク）等によって決せられるため、これらを適切にとるための方策が求められる。
【００２５】
（４）そこで本発明の実施例では、シアー５１をトリガー７に近づけるべく、シアーベース５をバレル２の前後可動軸よりも下方に設けることとしている。シアーベース５は、バレル２との接続部から下方に延びて直角に玩具銃後端方向に屈曲してさらにバレル２やチェンバー３、さらにはバルブボディに平行に延び、最後端部にシアー５１を配している。トリガー７を引くと、トリガー７とシアー５１が係合してシアーベース５を押圧し、これに伴いバレル２が前進する。
これによって、トリガープルやトリガーストローク、バレルストロークを適切にとりうることとなり、ライフル型エアガンにおいてもバレルストライカー方式を採用することができる。
【００２６】
図２において、１は、玩具銃のフレームである。図中左側が玩具銃の銃口側、右側が玩具銃後端側となる。２は、バレル２である。
バレル２は、シリンダー４３からのガスの放出により弾丸Ｂが内部を移動する。バレル２の後方には、バレルスプリング２１が設けられ、バレル２を玩具銃後端側へ付勢している。
【００２７】
３は、チェンバーである。４は、バルブボディである。
チェンバー３は、バレル２とバルブボディ４の間に設けられる。チェンバー３の形状は、図１２、図１３に図示されるが、チェンバー３は、バレル２の後端部が挿入可能に設けられる。チェンバー３には、給弾された弾丸Ｂが発射直前まで置かれる。トリガー７を引いてバレル２が前進している間は、チェンバー３内の弾丸Ｂと次弾が接触しているが、バレル２が後退しきる直前に、チェンバー３内の弾丸Ｂをくわえ込むようにバレル２内に取り込み、チャンバー３内の弾丸Ｂと次弾との接触は断たれる。
【００２８】
５は、シアーベースである。バレル２の同じく後端部には、図２以下に図示されるように、シアーベース５が固定して設けられる。実施例では、図１３に図示されるように、シアーベース５を構成する２つの部材でバレル２を横から挟み込むように固定している。しかし、シアーベース５を１つの部材で片側から嵌め込み、その後端にシアー５１を取り付けてもよい。
シアーベース５は、図２、図１３に図示されるように、バレル２接続部から下方に垂直に延びて直角に玩具銃後端方向に屈曲し、さらにバレル２の前後可動軸に平行に延び、シアーベース５の最後端部には、回動可能なシアー５１が配される。なお、屈曲してバレル２に平行に延びているシアーベース５に取り付けたシアー５１は、バレル２の前後可動軸よりも８ｍｍ以上離隔するものとなる。トリガー７を引くと、トリガー７とシアー５１が係合してシアーベース５を押圧し、これに伴いバレル２が前進する。
バレル２が移動すると、シアー５１もまた移動する。詳細には、バレル２の前後可動軸の８ｍｍ以上下方に平行した軸に沿ってシアー５１は可動する。
シアー５１は、直接トリガー７と係合する。
【００２９】
６は、マガジン（弾倉部）である。マガジン（弾倉部）６は、弾丸Ｂが内部に収納される筒状からなり、バレル２に平行に並べて設けられる。マガジン６内の弾丸Ｂをチェンバー３に送りこむため、マガジンフォロワー本体（胴体部）６１１およびマガジンフォロワーベース６２からなるマガジンフォロワー６１が設けられる。
マガジンフォロワー６１は、詳細には、マガジンフォロワー本体である胴体部６１１と弾丸当接部６１２、連結部６１３から構成される。胴体部６１１は棒状の部材であり、弾丸Ｂの径よりも小さな径を有する。胴体部６１１は切欠部３１１の切欠きの幅より狭い部分を有し、切欠部３１１から抜け出ることが可能である。
【００３０】
弾丸当接部６１２および連結部６１３は、胴体部６１１の両端に配される。弾丸当接部６１２は、弾丸Ｂと略同じ内径を有している。すなわち、弾丸当接部６１２、胴体部６１１よりも径大である。マガジンフォロワーベース６２は、図１４に図示されるように略十字型の部材からなる。
図１４、図１５に図示されるようにマガジンフォロワーベース６２の側面からつまみ６２１は、玩具銃の幅方向に翼状に突設される。
図３〜図５に図示されるように、玩具銃の外部からつまみ６２１を持って移動させることにより、マガジンフォロワーベース６２の位置を移動させることができる。
マガジンフォロワー６１は、マガジン６またはカートリッジマガジン６内でマガジンフォロワーベース６２に、蝶番状で連結して設けられる。
【００３１】
３１は、弾倉連結部である。弾倉連結部３１は、マガジン６またはカートリッジマガジン６とチェンバー３との間に、管状に設けられる。弾倉連結部３１は、マガジン（弾倉部）６の玩具銃後端側とバレル２とを連結し、内部を弾丸Ｂが移動する。
弾倉連結部３１は、切欠部３１１を設けた、断面がＣ字状の管状部材である。切欠部３１１は、マガジンフォロワー本体６１１が嵌合しうるように設けられる。切欠部３１１は、弾丸より幅狭の切欠部を長手方向に、切欠をバレル２側に向けて設けてなる。
【００３２】
弾倉連結部３１には、切欠部３１１が設けられる。すなわち、切欠部３１１は、マガジン６と弾倉連結部３１との間のバレル２側に設けられる
マガジンフォロワー６１のバレル側端部である先端は弾倉連結部３１内を摺動して進み、マガジンフォロワー６１のアーム部は切欠部３１１に至ると、切欠部３１１からバレル２側に突出する。
マガジンフォロワー本体６１１の胴体部６１１は、切欠部３１１から突出するが、切欠部３１１は胴体部６１１の中央部分よりは幅が広いが、弾丸当接部６１２よりは、幅狭のため、弾丸当接部６１２は切欠部３１１から突出することなく、弾倉連結部３１内にとどまる。
【００３３】
６１は、マガジンフォロアーである。マガジンフォロアー６１は、マガジンフォロワー本体（胴体部）６１１のバレル２側端部に設けられる。
６２は、マガジンフォロアーベースである。マガジンフォロアーベース６２は、マガジン６内を摺動する。
６３は、付勢手段であるマガジンフォロアースプリングである。付勢手段（マガジンフォロアースプリング）６３は、マガジンフォロアーベース６２を玩具銃後端方向に付勢する。
マガジンフォロワー本体（胴体部）６１１は、マガジンフォロアーベース６２の玩具銃後端側に、蝶番で回動自在に、特にバレル２側にマガジンフォロワー本体６１１が回動自在に取り付けられる。
【００３４】
この実施例では、マガジンフォロワー本体（胴体部）６１１とマガジンフォロワーベース６２の２つの部材を連結させて、マガジンフォロワー６１とする。マガジンフォロワー本体６１１とマガジンフォロワーベース６２とは、連結軸である連結部６１３を介していわば蝶番状の部材として構成される。
マガジンフォロワー本体６１１のうち、一端は弾丸当接部６１２で弾丸Ｂに当接する。もう一端は、連結軸である連結軸６１３を介してマガジンフォロワーベース６２の一端と連結する。
【００３５】
マガジンフォロワー本体６１１の両端とも、弾丸Ｂと略同じ大きさの内径を有する。マガジンフォロワー本体６１１の両端以外は、弾丸Ｂよりも若干小さな内径を有するアーム部となる。
マガジンフォロワーベース６２のもう一端は、スプリング等の弾性体からなる、マガジンフォロワースプリング６３が嵌合等により連結している。さらに、管状の弾倉連結部３１の上方は、切欠部３１１により切り取られている。
【００３６】
弾倉連結部３１の切欠部３１１の切欠の大きさは弾丸Ｂの大きさに比例するものであり、この実施例では、弾丸Ｂの径に対して、75％以下の幅となる。
例えば、4.5mmBB弾では、4.5×0.75＝3.375mm以下。6mmBB弾では、6×0.75＝4.5mm以下となる。
マガジンフォロワー本体６１１のアーム部は、この切欠部３１１を通過する際に、外部に、即ちバレル２側に突出する。これによって、マガジンフォロワー本体の弾丸当接部は、マガジン６内はもちろんのこと、弾倉連結部６１２内からチェンバー３付近まで弾丸Ｂを押圧して円滑に移動することが可能になる。
【００３７】
なお、着脱式のカートリッジマガジン６を下方から玩具銃本体内に挿入して給弾する場合であっても、カートリッジマガジン６からチェンバー３までの弾丸Ｂの移動通路が上記のような構造であるならば同様の作用効果を得ることができる。
シアーベース５は、弾倉連結部３１の側面を通過するように設けられる。シアーベース５が、弾倉連結部３１を挟み込むタイプであれば、シアーベース５が弾倉連結部３１を取り囲むように設けられる。いずれにせよ、弾倉連結部３１とシアーベース５は、干渉したり衝突したりすることはない。
【００３８】
９は、ホッパーである。
ホッパー９は、マガジン６の下方に、弾丸Ｂの一時貯蔵庫としての機能を有するものとして設けられる。ホッパー９は、弾丸Ｂを保留し、マガジン６に弾丸Ｂを補充する。ホッパー９には、底蓋９１が設けられる。
マガジン６が設けられるかわりに、カートリッジマガジン６を設けてもよい。
【００３９】
次に、玩具銃の操作の初期状態をあらわす図２について説明する。
トリガー７は、トリガー軸７４を中心に回動可能に設けられる。トリガー７は、トリガースプリング７２によって、図では時計回りに付勢される。トリガー７の上方には、シアー押圧部７１が設けられる。初期状態においては、トリガー７のシアー押圧部７１とシアー５１とはシアーの後端側に設けられたシアー端部５１１で当接している。
インナーセフティ８は、初期状態においては、シアーベース５に接するように設けられる。玩具銃を傾けて銃口を上に向けると、バレル２が自重で落下しようとするが、インナーセフティ８がシアーベース５と当接し、バレル２を停止させる。そのため、バレル２がバルブを叩いてしまい、弾丸Ｂ発射に及ぶことはない。これによって、不意の暴発を防ぐことができる。
【００４０】
本件発明を採用した玩具銃の機関部を示す拡大側面図である図３について説明する。
マガジンフォロワーベース６２は、つまみ６２１を銃口側へ移動させた上で、あらかじめ玩具銃を上下逆さにして、ホッパー９内の弾丸Ｂをマガジン６内へ落下させて装填をすることができる。この図は、つまみ６２１を銃口側へ移動させた図である。
【００４１】
図４は、図３の状態から、つまみ６２１が玩具銃後端側へ移動している図である。マガジンフォロワーベース６２が玩具銃後端側へ移動しきってしまっている状態であり、弾丸Ｂの装填が必要となっている状態をあらわす。
図５は、本件発明を採用した玩具銃の機関部を下方から見上げた状態を示す。
【００４２】
図６は、玩具銃を上下逆さにして、弾丸Ｂを装填している状態を示す図である。
ホッパー９の裏蓋９１を開けて、弾丸Ｂを投入する。弾丸Ｂは、ホッパー９内のマガジン連絡口を経て、マガジン６内に流入する。さらに一部の弾丸Ｂは、弾倉連結部３１内へ流入する。弾倉連結部３１には切欠部３１１が設けられているが、弾丸Ｂの内径よりも切欠が狭いため、弾倉連結部３１の外部へ弾丸Ｂがあふれ出すことはない。
【００４３】
図７は、逆さにした玩具銃を元通りにした状態の側面断面図である。
ホッパー９からマガジン６内、さらには弾倉連結部３１へ入り込んだ弾丸Ｂは、マガジンフォロワースプリング６３の付勢により、チェンバー３の手前まで装填される。チェンバー３へは、バレル２の後端部が弾倉連結部３１の上方を塞いでいるため、弾丸Ｂは上昇してチェンバー３へ入り込むことはできない。
【００４４】
図８は、トリガー７を引いた瞬間の側面断面図である。
（１）トリガー７を引くと、トリガー７のインナーセフティ係合部７３が回動してインナーセフティ８を押圧して下方へ押し下げつつ、トリガー７のシアー係合部７１がシアー５１を銃口側へ向けて押圧する。
（２）シアー５１が押圧されることにより、付勢手段２１の付勢に抗して、シアーベース５及びバレル２が前進する。そうすると、バレル２によって上昇を阻まれていた弾倉連結部３１内の弾丸Ｂのうち、一番上部にある弾丸Ｂが、チェンバー３内へ入り込む。
【００４５】
図９は、バレル２がヒットピンを叩いた瞬間の側面断面図である。
（１）トリガー７がシアー５１を押圧し続けると、バレル２が前進し、やがてトリガー７からシアー５１が離反する。もっとも、バレル２自体は、慣性によって、前進をさらに続けて止まる。その後、バレル２は、付勢手段２１の付勢力によって、急速に後退を始める。そして、バレル２は、バルブボディ４内のヒットピン４１を叩打して後退を停止する。
（２）シアー５１は、シアースプリング５２によって反時計回りに回動して止まる。その状態で後退し続け、トリガー７のシアー係合部７１の上方にシアー５１が位置したところでシアー５１が停止する。
（３）ヒットピン４１が叩打されたことにより、ヒットピン４１が後退して放出バルブ４２に当接し、放出バルブ４２を後退させる。これによって、バルブボディ４内の気密が解ける。
【００４６】
図１０は、弾丸Ｂが発射する直前の側面断面図である。
（１）放出バルブ４２の後退によってバルブボディ４内の気密が解け、シリンダー４３よりバルブボディ４内へ流入していたガスが、バルブボディ４と放出バルブ４２との間隙からチェンバー３へ急激に流出する。その結果、チェンバー３内の弾丸Ｂは、ガス圧によって前方へ押し出され、弾丸Ｂが発射される。
（２）トリガー７から指を放すと、トリガー７は、トリガースプリング７２の付勢によって時計回りに回動して元の位置に戻る。そうすると、シアー５１は、トリガー７のシアー係合部７１に押し上げられて元の位置に戻る。また、インナーセフティ８は、インナーセフティスプリング８１の付勢によって上昇し、元の位置へ戻る。
【００４７】
図１１は、弾倉連結部３１内の弾丸Ｂが少ない状態を示す、側面断面図である。
この状態では、マガジンフォロワー６１は、その胴体部６１１が弾倉連結部３１の切欠部３１１から突出しながら、弾丸当接部６１２が弾丸Ｂを上方へ移動するように押し上げている。弾丸Ｂは、最後の一発に至るまで、詰まることなくチェンバー３へ送り込まれる。
【００４８】
図１２〜図１５は、玩具銃の一部拡大斜視図である。
図１２は、バルブボディ４やチェンバー３等の斜視図である。図１３は、図１２に加えバレル２、シアーベース５、シアー５１を加えた斜視図である。
図１４、図１５はマガジンフォロアー６１およびマガジンフォロアーベース６２の斜視図である。
【符号の説明】
【００４９】
２  バレル
２１  付勢手段
６  マガジン
６１  マガジンフォロアー
６１１  マガジンフォロワー本体（胴体部）
６２  マガジンフォロアーベース
６３  付勢手段（マガジンフォロアースプリング）６３
３１  弾倉連結部
３１１  切欠部
Ｂ  弾丸
【図１】
2015021713.tif 000003
【図２】
2015021713.tif 000004
【図３】
2015021713.tif 000005
【図４】
2015021713.tif 000006
【図５】
2015021713.tif 000007
【図６】
2015021713.tif 000008
【図７】
2015021713.tif 000009
【図８】
2015021713.tif 000010
【図９】
2015021713.tif 000011
【図１０】
2015021713.tif 000012
【図１１】
2015021713.tif 000013
【図１２】
2015021713.tif 000014
【図１３】
2015021713.tif 000015
【図１４】
2015021713.tif 000016
【図１５】
2015021713.tif 000017